(57)【要約】【課題】    外壁パネルの貼設作業性が良好で、確実に目地部の水密状態を得ることが出来、外観品質が良好で安価な外壁パネル構造及びその施工方法を提供する。【解決手段】  隣接された外壁パネル１７，１７間の対向端縁のうち、一方の外壁パネル１７の端縁には、建物ユニット１１の外側方に向けて開口する開口部２３ｂが形成された断面略Ｃ字状の被係合溝部２３が設けられている。  被係合溝部２３内には、リベット５が装着されて、柱材１２の外側面１２ａに、底面部２３ａを、建物ユニット１１の外側方から、固定している。  他方の外壁パネル１７の端縁には、被係合溝部２３内に、開口部２３ｂから挿通されて、係合により、両外壁パネル１７，１７の対向端縁間を水密とするクランク状の係合片部２４が設けられている。【選択図】図１
2005220657.tif 000002
【特許請求の範囲】
【請求項１】
建物構造体の外壁部に、少なくとも左右方向に隣接されて貼設される複数の外壁パネル
を有する外壁パネル構造であって、
前記隣接された外壁パネル間の対向端縁のうち、何れか一方の外壁パネルの端縁には、
前記建物構造体の外側方に向けて開口する開口部が形成された断面略Ｃ字状の被係合溝部
を有すると共に、前記被係合溝部内に装着されることにより、前記建物構造体の外側面に
、前記被係合溝部の底面部を、該建物構造体の外側方から、固定する固定部材を設け、前
記端縁に対向する他方の外壁パネルの端縁には、前記被係合溝部内に、前記開口部から挿
通されて、係合により、前記開口部の開口を閉じるクランク状の係合片部を設けているこ
とを特徴とする外壁パネル構造。
【請求項２】
前記被係合溝部の底面部から前記開口部形成位置までの外壁張り出し方向の高さを用い
て、前記外壁部内に通気層部を形成することを特徴とする請求項１記載の外壁パネル構造
。
【請求項３】
前記被係合溝部は、前記パネル本体を構成する金属板材の端縁を屈曲することによって
一体に構成されていることを特徴とする請求項１又は２記載の外壁パネル構造。
【請求項４】
前記係合片部は、前記パネル本体を構成する金属板材の端縁を屈曲することによって一
体に構成されていることを特徴とする請求項１乃至３のうち何れか一項記載の外壁パネル
構造。
【請求項５】
建物構造体の外壁部に、複数の外壁パネルを左右方向に隣接させて貼設する外壁パネル
構造の施工方法であって、
前記隣接された外壁パネル間の対向端縁のうち、何れか一方の外壁パネルの端縁に、前
記建物構造体の外側方に向けて開口されて形成された断面略Ｃ字状の開口部を形成する被
係合溝部を形成し、該被係合溝部の該開口部を介して、該建物構造体の外側方から、前記
建物構造体の外側面に、該被係合溝部の底面部を、固定部材によって固定した後、前記端
縁に対向する他方の外壁パネルの端縁に形成されたクランク状の係合片部を、前記被係合
溝部内に、前記開口部から挿通して、係合させることにより、前記開口部の開口を閉じる
ことを特徴とする請求項１乃至４のうち何れか一項記載の外壁パネル構造の施工方法。
【発明の詳細な説明】
【技術分野】
【０００１】
この発明は、住宅等の建築物の外壁に、隣接配置される外壁パネル間の接続を容易に行
える外壁パネル構造に関するものである。
【背景技術】
【０００２】
従来、図１１，図１２に示すような外壁パネル構造が、知られている（例えば、特許文
献１等参照）。
【０００３】
まず、構成から説明すると、この外壁パネル構造では、上，下階建物ユニット２，２及
び３，３を複数組み合わせて構成されるユニット住宅１の外壁部に、パネル状の外壁パネ
ル４，４が装着されている。
【０００４】
これらの外壁パネル４，４は、石膏ボード等によって構成されるパネル本体４ａの前記
上，下階建物ユニット２又は３に対向する裏面側に、断面略ロ字状を呈する取付用のフレ
ーム枠体４ｂ，４ｂが設けられて、主に構成されている。
【０００５】
そして、図１２に示す様に、前記上，下階建物ユニット２又は３の建物構造体を構成す
る梁部材２ａ，３ａ等側である室内側から、固定用のリベット５，５が、外側方に向けて
挿通されて、これらの外壁パネル４，４が、前記上，下階建物ユニット２又は３の外側面
に固定されるように構成されている。
【０００６】
また、前記外壁パネル４，４の裏面側には、防水シート６，６が貼設されている。
【０００７】
この防水シート６，６は、前記外壁パネル４，４の対向する左，右側端縁４ｃ，４ｃ間
の間隙から、この防水シート６，６の各側端縁を外壁パネル４，４の表面側に露出させて
、これらの各側端縁に設けられた雄レール部６ａと雌レール部６ｂとを、スライダ部材７
によって係着することにより、水密とすると共に、これを裏面側に押し込んだ後、ガスケ
ットＧを挿入して、目地部８が形成されている。
【０００８】
次に、この従来の外壁パネル構造の作用について説明する。
【０００９】
このように構成された外壁パネル構造では、前記ユニット住宅１の外壁部に、パネル状
の外壁パネル４，４が、屋外側から当接されると共に、室内側から挿通されるリベット５
，５によって、上，下階建物ユニット２，３の外側面を構成する前記柱部材及び梁部材２
ａ，３ａ等に、前記フレーム枠体４ｂ，４ｂが固定される。
【００１０】
各外壁パネル４，４間の各目地部８，８では、前記防水シート６，６の各側端縁に設け
られた雄レール部６ａと雌レール部６ｂとが、スライダ部材７によって係着されることに
より、水密状態となる。
【００１１】
更に、ガスケットＧにより水密性を向上させると共に、目地部８の外観を向上させてい
る。
【００１２】
このため、雨水等が、外壁部からユニット住宅１内に浸入する虞が無い。
【特許文献１】特公平６−１５７８７号公報（図１，図２、明細書第２頁左欄第３７行目乃至第５頁左欄第２３行目）
【発明の開示】
【発明が解決しようとする課題】
【００１３】
しかしながら、このような従来の外壁パネル構造では、前記外壁パネル４，４が、室内
側である裏面側から挿通される前記リベット５，５を用いて、上，下階建物ユニット２，
３の外側面に固定するように構成されている。
【００１４】
このため、屋外側から前記外壁パネル４，４を当接させて、仮固定しながら、反対側で
ある裏面側から、リベット５による固定作業を行わなければならないため、作業効率が良
好であるとは、言い難かった。
【００１５】
また、各外壁パネル４，４間の目地部８，８では、前記防水シート６，６の各側端縁に
設けられた雄レール部６ａと雌レール部６ｂとが、スライダ部材７によって係着されて水
密状態となるが、防水シートとガスケットとを用いる分、部品点数が増大して、製造コス
トが上昇してしまう虞もあった。
【００１６】
そこで、この発明は、外壁パネルの貼設作業性が良好で、確実に目地部の水密状態を得
ることが出来、外観品質が良好で安価な外壁パネル構造及びその施工方法を提供すること
を課題としている。
【課題を解決するための手段】
【００１７】
上記目的を達成するために、請求項１に記載された発明では、建物構造体の外壁部に、
少なくとも左右方向に隣接されて貼設される複数の外壁パネルを有する外壁パネル構造で
あって、前記隣接された外壁パネル間の対向端縁のうち、何れか一方の外壁パネルの端縁
には、前記建物構造体の外側方に向けて開口する開口部が形成された断面略Ｃ字状の被係
合溝部を有すると共に、前記被係合溝部内に装着されることにより、前記建物構造体の外
側面に、前記被係合溝部の底面部を、該建物構造体の外側方から、固定する固定部材を設
け、前記端縁に対向する他方の外壁パネルの端縁には、前記被係合溝部内に、前記開口部
から挿通されて、係合により、前記開口部の開口を閉じるクランク状の係合片部を設けて
いる外壁パネル構造を特徴としている。
【００１８】
また、請求項２に記載されたものは、前記被係合溝部の底面部から前記開口部形成位置
までの外壁張り出し方向の高さを用いて、前記外壁部内に通気層部を形成する請求項１記
載の外壁パネル構造を特徴としている。
【００１９】
更に、請求項３に記載されたものは、前記被係合溝部は、前記パネル本体を構成する金
属板材の端縁を屈曲することによって一体に構成されている請求項１又は２記載の外壁パ
ネル構造を特徴としている。
【００２０】
また、請求項４に記載されたものは、前記係合片部は、前記パネル本体を構成する金属
板材の端縁を屈曲することによって一体に構成されている請求項１乃至３のうち何れか一
項記載の外壁パネル構造を特徴としている。
【００２１】
そして、請求項５に記載されたものは、建物構造体の外壁部に、複数の外壁パネルを左
右方向に隣接させて貼設する外壁パネル構造の施工方法であって、前記隣接された外壁パ
ネル間の対向端縁のうち、何れか一方の外壁パネルの端縁に、前記建物構造体の外側方に
向けて開口されて形成された断面略Ｃ字状の開口部を形成する被係合溝部を形成し、該被
係合溝部の該開口部を介して、該建物構造体の外側方から、前記建物構造体の外側面に、
該被係合溝部の底面部を、固定部材によって固定した後、前記端縁に対向する他方の外壁
パネルの端縁に形成されたクランク状の係合片部を、前記被係合溝部内に、前記開口部か
ら挿通して、係合させることにより、前記開口部の開口を閉じる請求項１乃至４のうち何
れか一項記載の外壁パネル構造の施工方法を特徴としている。
【発明の効果】
【００２２】
このように構成された本願発明の請求項１記載のものは、前記外壁パネルの何れか一方
の外壁パネルの端縁に形成された被係合溝部が、前記固定部材によって、前記建物構造体
の外側方から固定されると共に、他方の前記外壁パネルの端縁に形成されたクランク状の
係合片部が、前記係合溝部内に、前記開口部から挿通されて、係合されて、該開口部が閉
じられる。
【００２３】
このため、前記各外壁パネルの外壁部への貼設作業を、全て前記建物構造体の屋外側か
ら行うことが出来るので、貼設作業性が良好である。
【００２４】
また、前記係合片部が、前記被係合溝部内に、前記開口部から挿通されて、係合されて
閉じられる際に、前記両外壁パネルの対向端縁間が、略水密となる。
【００２５】
又、前記被係合溝部が、縦樋状に活用出来るので、係合部から浸入した雨水も、下方に
排出させることが出来る。
【００２６】
このため、前記左右方向に隣接配置された外壁パネル間で、確実に目地部を水密状態と
することが出来る。
【００２７】
更に、該外壁パネルを貼設するだけで、確実に目地部の水密状態を得ることができると
共に、ガスケットがなくても良好な外観が得られるので、別途、防水施工等が不要となり
、施工コストを減少させることができる。
【００２８】
また、請求項２に記載されたものは、通気層部が、前記被係合溝部の底面部から前記開
口部形成位置までの外壁張り出し方向の高さが用いられて、前記外壁部内に形成されてい
るので、壁内通気路を容易に設けることができる。
【００２９】
更に、請求項３に記載されたものは、前記被係合溝部が、前記パネル本体を構成する金
属板材の端縁が、屈曲されることによって、前記外壁パネルと一体となるように形成され
ている。
【００３０】
このため、別部品を設ける必要が無いので、製造コストの増大を抑制出来る。
【００３１】
また、請求項４に記載されたものは、前記係合片部が、前記パネル本体を構成する金属
板材の端縁が、屈曲されることによって、前記外壁パネルと一体となるように形成されて
いる。
【００３２】
このため、別部品を設ける必要が無いので、製造コストの増大を抑制出来る。
【００３３】
そして、請求項５に記載されたものは、前記隣接された外壁パネル間の対向端縁のうち
、何れか一方の外壁パネルの端縁に、前記建物構造体の外側方に向けて開口されて形成さ
れた断面略Ｃ字状の被係合溝部の開口部を介して、前記建物構造体の外側面に、前記被係
合溝部の底面部が、該建物構造体の外側方から、固定部材によって固定される。
【００３４】
このように、前記固定部材を用いて、前記建物構造体の外側方から、前記開口部を介し
て、前記外壁パネルの固定作業を行えるので、該外壁パネルの貼設作業性が良好である。
【００３５】
そして、固定端縁に対向する他方の外壁パネルの端縁に形成されたクランク状の係合片
部を、前記被係合溝部内に、前記開口部から挿通して、係合させることにより、両外壁パ
ネルの対向端縁間が水密となる。
【００３６】
このため、該係合片部によって、前記被係合溝部の底面部の前記固定部材が覆われて、
外部から視認出来ないようにすることが出来、外観品質を良好なものとすることができる
。
【００３７】
しかも、前記外壁パネル部材を、建物構造体の外壁部に貼設するだけで、前記被係合溝
部内に、前記係合片部が、前記開口部から挿通されて係合されて、前記両外壁パネルの対
向端縁間が水密となる。
【００３８】
このため、前記左右方向に隣接配置された外壁パネル間で、確実に目地部を水密状態と
することが出来、防水施工等が不要となり、施工コストを減少させることができる。
【発明を実施するための最良の形態】
【００３９】
次に、図面に基づいて、この発明を実施するための最良の実施の形態の外壁パネル構造
及び該外壁パネル構造の施工方法を説明する。
【００４０】
なお、前記従来例と同一乃至均等な部分については同一符号を付して説明する。
【００４１】
図１乃至図１０は、この発明の実施の形態の外壁パネル構造及び該外壁パネル構造の施
工方法を説明するものである。
【００４２】
まず、この実施の形態の構成を説明すると、この発明の実施の形態では、図２に示すよ
うに、ユニット住宅１０の建物構造体としての建物ユニット１１，１１が、複数組み合わ
されて、隣接配置されている。
【００４３】
これらの建物ユニット１１は、図２又は図５に示すような四隅に４本設けられた柱材１
２，１２の上，下端部と、天井梁部材１３，１３及び床梁部材１４，１４とが、鉄骨ラー
メン構造を呈するように各隅部で各々連結されて略ボックス形状を呈するように構成され
ると共に、複数の棒状のスタッド１５…，１６…が、前記天井梁部材１３及び床梁部材１
４間を連結するように、一定間隔を置いて、鉛直方向に沿って立設されている。
【００４４】
そして、これらの建物ユニット１１の外側面には、少なくとも左右方向に隣接されて貼
設される複数の外壁パネル１７…，１８…が設けられて、外壁部２０が主に構成されてい
る。
【実施例１】
【００４５】
図１乃至図６は、この最良の実施の形態の実施例１の外壁パネル構造及び該外壁パネル
構造の施工方法を示している。
【００４６】
この実施例１では、前記外壁部２０のうち、一般部を構成する外壁パネル１７が、図４
に示すように、タイル部材又は石膏ボードで構成される外装部材２１の裏面側に、金属板
材によって構成される平板状のパネル本体２２が設けられて、主に構成されている。
【００４７】
このパネル本体２２には、隣接される際の対向端縁のうち、一方の右端縁には、被係合
溝部２３が、このパネル本体２２の端縁部を所定の形状に屈曲させることにより、一体と
なるように構成されている。
【００４８】
この被係合溝部２３は、前記建物構造体を構成する柱材１２又は前記スタッド１５，１
６の外側面部１２ａ又は、１５ａ，１６ｂに、底面部２３ａを当接させると共に、外側方
に向けて開口する開口部２３ｂが形成された水平断面略Ｃ字状を呈していて、鉛直方向に
沿って延設されている。
【００４９】
この実施例１の被係合溝部２３の底面部２３ａには、図１に示すように、リベット５が
挿通されるリベット挿通孔２３ｃが、開口形成されている。
【００５０】
このリベット挿通孔２３ｃには、前記被係合溝部２３内に装着される固定部材としての
リベット５が、挿通されると共に、建物構造体の外側面を構成する柱材１２の外側面部１
２ａ又は、前記スタッド１５，１６の外側面部１５ａ，１６ａに開口形成された固定孔１
２ｂ又は１５ｂ，１６ｂに、これらのリベット５が挿通されて係止されることにより、こ
の被係合溝部２３が、前記柱材１２又は前記スタッド１５，１６の外側面部１２ａ又は、
１５ａ，１６ｂに、前記被係合溝部２３の底面部２３ａが、この建物構造体の外側方から
、固定されるように構成されている。
【００５１】
また、前記開口部２３ｂの周縁のうち、基端側端縁には、図１に示すように、板厚方向
で、２重となるように折り返された折り返し部２３ｄが形成されている。この折り返し部
２３ｄの溝部内に位置する裏面側には、第１シール面部２３ｅが、所定の幅ｗ１を有して
形成されている。
【００５２】
この第１シール面部２３ｅとは、反対側に位置する先端側端縁には、断面略Ｌ字状を呈
するように略直角に屈曲された第２シール面部２３ｆが、所定の幅ｗ２を有して形成され
ている。
【００５３】
更に、この実施例１では、前記被係合溝部２３の側面部内側２３ｇから、下端レベル係
止突片部材２３ｈが、一定長さ突設されている。  
【００５４】
また、図４に示すように、前記パネル本体２２の、前記左端縁に対向する他方の外壁パ
ネル１７の左端縁には、係合により、前記開口部２３ｂの開口を閉じるクランク状の係合
片部２４が設けられている。
【００５５】
この係合片部２４は、隣接配置される他のパネル本体２２の前記係合溝部２３内に、前
記開口部２３ｂから挿通されて、係合により、前記第１シール面部２３ｅに圧接されるこ
とにより、この第１シール面部２３ｅとの間で、両外壁パネル２２，２２の対向端縁間を
水密とするシールを行うクランク外側面部２４ａと、前記第２シール面部２３ｆに圧接さ
れることにより、この第２シール面部２３ｆとの間で、両外壁パネル２２，２２の対向端
縁間を水密とするシールを行うクランク内側面部２４ｂとを有している。
【００５６】
また、この係合片部２４には、これらのクランク外側面部２４ａと、クランク内側面部
２４ｂとの間に位置して、面内外方向へこれらのクランク外側面部２４ａ及び、クランク
内側面部２４ｂが設定される位置に段差を与えるクランク部２４ｄが設けられている。
【００５７】
このクランク部２４ｄは、面内外方向に所定量弾性変形可能で、弾性変形による復帰力
で、前記第１シール面部２３ｅに、前記クランク外側面部２４ａを、第２シール面部２３
ｆに前記クランク内側面部２４ｂを各々圧接させるように構成されている。
【００５８】
更に、この実施例１では、この係合片部２４の先端には、前記下端レベル係止突片部材
２３ｈに下縁部を当接させることにより、この係合溝部２３内での前記係合片部２４の落
下を防水する落下防水片部２４ｃが、一体に延設されて設けられている。
【００５９】
また、図６に示す建物ユニット１１，１１の接続部分に位置する外壁部２０には、パネ
ル本体１２２を有する外壁パネル１９が設けられている。
【００６０】
この外壁パネル１９では、裏面側に設けられたパネル本体１２２の左，右両端縁に、各
建物ユニット１１，１１のパネル本体２２，２２の両対向端縁に形成された両被係合溝部
２３，２３内に、各開口部２３ｂ，２３ｂにユニット住宅１０の上方から挿通されて、係
合により、両外壁パネル２２，１２２の対向端縁間を水密とするクランク状の係合片部１
２４，１２４が、前記一般部の前記係合片部２４と略同一形状で、左，右対称となるよう
に設けられている。
【００６１】
更に、この実施例１では、図１に示すように、前記被係合溝部２３の底面部２３ａから
前記開口部２３ｂ形成位置までの外壁張り出し方向の高さｔ１が用いられて、前記外壁パ
ネル１７，１７の内部に各々通気層部２５，２５が形成されている。
【００６２】
また、図５に示すように、上，下階に設けられる建物ユニット１１，１１の接続部分に
位置する外壁部２０では、上，下に位置するパネル本体２２，２２の対向する上，下端縁
２２ａ，２２ｂ間に、けんどんつなぎ部材２６が嵌着されると共に、このけんどんつなぎ
部材２６を覆う水平被覆部材２７が、固定具２８によって固着されて、水密状態となるよ
うに構成されている。
【００６３】
次に、この実施例１の作用効果について説明する。
【００６４】
この実施例１の外壁パネル構造では、ユニット住宅１０の柱材１２の外側面部１２ａに
、図３に示すように、隣接配置された左側の外壁パネル１７の被係合溝部２３の底面部２
３ａを当接させると共に、この被係合溝部２３の開口部２３ｂを介して、このユニット住
宅１０の外側方から、リベット５を挿通する。
【００６５】
そして、前記リベット挿通孔２３ｂから突出したリベット５を前記外側面部１２ａに形
成された固定孔１２ｂに、挿通すると共に係止させて、前記柱材１２の外側面部１２ａ又
は、例えば図４に示す各スタッド１５…の外側面部１５ａ…に、外壁パネル１７の右側側
縁部が固定される。
【００６６】
次に、固定された前記外壁パネル１７の右側に位置する次の外壁パネル１７の左端縁に
形成されたクランク状の係合片部２４が、前記被係合溝部２３内に、前記開口部２３ｂか
ら、図３中二点鎖線で示すように、斜めに挿通されると共に、実線で示す位置まで、外壁
部２０で、他の隣接配置される外壁パネル１７と面一となるように、前記係合片部２４が
回動中心として回動されて、係合されることにより、前記開口部２３ｂが閉じられる。
【００６７】
この実施例１では、前記係合片部２４のクランク部２４ｄが、面内外方向に所定量弾性
変形して、弾性変形による復帰力で、前記第１シール面部２３ｅに、前記クランク外側面
部２４ａを、又、第２シール面部２３ｆに前記クランク内側面部２４ｂを各々圧接させる
。
【００６８】
このため、外壁パネル１７，１７間の目地部では、前記第１シール面部２３ｅ及び、前
記第２シール面部２３ｆによって、二重にシールされるので、良好な水密性能を得ること
ができる。
【００６９】
例えば、前記第１シール面部２３ｅから雨水等の浸入が万一発生しても、前記被係合溝
部２３内に浸入した雨水は、前記第２シール面部２３ｆによって、止められて、建物ユニ
ット１１内に浸入することなく、この被係合溝部２３内を流下して、屋外に排水される。
【００７０】
しかも、この実施例１では、前記第１シール面部２３ｅの端縁周縁が、折り返されて形
成される折り返し部２３ｄによって、金属板材を２枚、重ねるように構成されている。こ
のため、前記第１シール面部２３ｅの圧接によっても、変形し難い充分な強度を与えるこ
とが出来る。
【００７１】
更に、この実施例１では、前記被係合溝部２３のうち、前記パネル本体２２と直交して
設けられる側壁面の先端に、断面略Ｌ字状を呈するように略直角に屈曲された第２シール
面部２３ｆが、前記第１シール面部２３ｅに当接されるように構成されている。
【００７２】
このため、前記第１シール面部２３ｅ圧接によっても、変形し難い充分な強度を与える
ことが出来る。
【００７３】
また、図１に示すように、係合片部２４の先端に一体に延設されて設けられた落下防水
片部２４ｃが、前記下端レベル係止突片部材２３ｈに下縁部を当接させることにより、こ
の係合溝部２３内での前記係合片部２４の落下が防水されて、係合位置で保持される。
【００７４】
このため、別途、シール部材及び固定部材を用いる必要が無く、部品点数が減少するの
で、製造、施工コストの増大が抑制される。
【００７５】
そして、図４中紙面右側に示すように、例えば、スタッド１６の外側面部１６ａに、こ
の外壁パネル１７の被係合溝部２３の底面部２３ａを当接させると共に、この被係合溝部
２３の開口部２３ｂを介して、このユニット住宅１０の外側方から、リベット５を挿通し
て、前記左側の外壁パネル１７と略同様に、スタッド１６…の外側面部１６ａ…に、外壁
パネル１７の右側側縁部が固定される。
【００７６】
このため、図２中一点鎖線の矢印に示すように、左側から右側に向けて、順次、外壁パ
ネル１７を、前記係合片部２４による係合及び前記リベット５による固定を繰り返して、
固定することにより、ユニット住宅１０を構成する建物ユニット１１の外壁部２０に略全
周に渡り、外壁パネル１７…を貼設することが出来る。
【００７７】
また、図６に示す建物ユニット１１，１１間の連結部分では、図６中紙面右側に示すよ
うに、左端縁にも、被係合溝部２３が、一体となるように形成されているパネル本体２２
２を有する外壁パネル１８が用いられている。
【００７８】
そして、両端縁に係合片部１２４，１２４が一体に形成されたパネル本体１２２を有す
る外壁パネル１９を、この建物ユニット１１，１１間の連結部分に貼設する際、両側に位
置する被係合溝２３，２３に、建物ユニット１１の上方から前記パネル本体２２２の係合
片部１２４，１２４をスライド挿入することにより、外壁パネル１７と、前記外壁パネル
構造１８との間に、外壁パネル構１９を位置させて、連結を完了する。
【００７９】
このため、前記各外壁パネル１７…，１８，１９等の外壁部２０への貼設作業を、全て
、前記建物ユニット１１，１１の屋外側から行うことが、出来るので、貼設作業性が良好
である。
【００８０】
また、前記係合片部２４が、前記係合溝部２３内に、前記開口部２３ｂから挿通されて
、係合される際に、前記両外壁パネル１７，１８，１９等の対向端縁間が、前記第１シー
ル面部２３ｅ及び、第２シール面部２３ｆによってシールされて水密となる。
【００８１】
このため、前記左右方向に隣接配置された外壁パネル１７，１８，１９等間で、確実に
目地部を水密状態とすることが出来る。
【００８２】
更に、これらの外壁パネル１７，１８，１９を貼設するだけで、確実に目地部の水密状
態を得ることができるので、別途、防水施工等が不要となり、この点においても、施工コ
ストを減少させることができる。
【００８３】
また、図１に示されるように、前記通気層部２５，２５が、前記被係合溝部２３の底面
部２３ａから前記開口部２３ｂ形成位置までの外壁張り出し方向の高さｔ１が用いられて
、前記外壁部２０内に形成されているので、この通気層部２５，２５を用いて、壁内通気
路を容易に設けることができる。
【００８４】
更に、この実施例１では、前記被係合溝部２３が、前記パネル本体２２を構成する金属
板材の端縁が、屈曲されることによって、前記外壁パネル１７等と一体となるように形成
されている。
【００８５】
このため、別部品を設ける必要が無いので、製造コストの増大を抑制出来る。
【００８６】
また、前記係合片部２４が、前記パネル本体２２を構成する金属板材の端縁が、屈曲さ
れることによって、前記外壁パネル１７等と一体となるように形成されている。
【００８７】
このため、別部品を設ける必要が無いので、製造コストの増大を抑制出来る。
【００８８】
そして、前記隣接された外壁パネル１７，１７間の対向端縁に、前記建物構造体の外側
方に向けて開口されて形成された断面略Ｃ字状の被係合溝部２３が設けられていて、この
係合溝部２３の開口部２３ｂを介して、前記建物構造体である建物ユニット１１の柱材１
２又はスタッド１５の外側面１２ａ又は１５ａに、この被係合溝部２３の底面部２３ａが
、当接されて、建物ユニット１１の外側方から、リベット５，５によって固定される。
【００８９】
このように、前記リベット５を用いて、前記建物構造体の外側方から、前記開口部２３
ｂを介して、前記外壁パネル１７等の固定作業を行えるので、これらの外壁パネル１７の
貼設作業性が良好である。
【００９０】
そして、固定端縁に対向する他方の外壁パネル１７の端縁に形成されたクランク状の係
合片部２４を、前記被係合溝部２３内に、前記開口部２３ｂから挿通して、係合させるこ
とにより、両外壁パネル１７，１７の対向端縁間が水密となる。
【００９１】
しかも、この実施例１では、係合片部２４によって、前記被係合溝部２３の底面部２３
ａに設けられる前記リベット５の頭部が覆われて、外部から視認出来ないようにすること
が出来、外観品質を良好なものとすることができる。
【００９２】
しかも、前記外壁パネル部材１７，１７等を、建物ユニット１１…の外壁部２０に貼設
するだけで、前記被係合溝部２３内に、前記係合片部２４が、前記開口部２３ａから挿通
されて係合される際、前記第１シール面部２３ｅと、第２シール面部２３ｆとによって、
前記両外壁パネル１７，１７の対向端縁間が、略水密となる。
【００９３】
又、前記被係合溝部２３が、縦樋状に活用出来るので、第１シール面部２３ｅから浸入
した雨水も、建物に浸入させることなく、下方に排出させることが出来る。
【００９４】
このため、施工現場で、別途防水施工を行う必要が無くなり、前記左右方向に隣接配置
された外壁パネル７，１７間で、確実に目地部を水密状態とすることが出来ると共に、従
来の図１２に示すようなガスケットＧが無くても良好な外観を得られ、この点でも、施工
コストを減少させることができる。
【実施例２】
【００９５】
図７乃至図１０は、この発明の実施例２の外壁パネル構造及び該外壁パネル構造の施工
方法を示すものである。なお、前記実施例１と同一乃至均等な部分については同一符号を
付して説明する。
【００９６】
まず、構成から説明すると、この実施例２では、図７乃至図１０に示すように、被係合
溝部１２３の底面部２３ａから前記開口部２３ｂ形成位置までの外壁張り出し方向の高さ
ｔ２が、前記係合溝部１２３を、外壁部１２０の外側面から装着される外壁パネル１１７
の少なくとも左，右一側縁に形成することにより、設けられて、前記外壁パネル１１７，
１１７の内部に各々外側断熱部材３０，３０が介装される間隙を容易に設けることが出来
る。
【００９７】
この実施例２では、図７又は図１０に示されるように、前記柱材１１の高さｔ３と略同
じ厚さを有する内側断熱部材３１，３１が、この外側断熱部材３０，３０よりも、室内側
に位置して、前記外側断熱部材３０，３０と共に、外壁部１２０に、２重の断熱層が設け
られるように構成されている。
【００９８】
次に、この実施例２の作用効果について説明する。
【００９９】
この実施例２では、前記実施例１の作用効果に加えて、更に、外壁部１２０の断熱材が
、内側断熱部材３１，３１及び、外側断熱部材３０，３０によって、略全周に渡り、２重
とすることが出来るので、更に、断熱性能を良好なものとすることができる。
【０１００】
他の構成及び作用効果については、前記実施例１と略同様であるので、説明を省略する
。
【０１０１】
以上、図面を参照して、本発明の実施の形態及び実施例１，２を詳述してきたが、具体
的な構成は、この実施の形態に限らず、本発明の要旨を逸脱しない程度の設計的変更は、
本発明に含まれる。
【０１０２】
即ち、実施例１では、前記被係合溝部２３が、前記柱材１２又は前記スタッド１５，１
６の外側面部１２ａ又は、１５ａ，１６ｂに、外側方から、固定されるように構成されて
いるが、特にこれに限らず、例えば、建物構造体としての天井梁部材又は床梁部材等の外
側面に、前記被係合溝部２３を固定具を用いて外側方から固定するものであるならば、ど
のような箇所に、前記被係合溝部２３が、固定されていてもよい。
【図面の簡単な説明】
【０１０３】
【図１】この発明の実施の形態の実施例１の外壁パネル構造及び該外壁パネル構造の施工方法で、要部の構成を説明する水平断面図である。
【図２】実施例１の外壁パネル構造及び該外壁パネル構造の施工方法で、ユニット住宅全体の構成を説明する水平断面図である。
【図３】実施例１の外壁パネル構造及び該外壁パネル構造の施工方法で、外壁パネルを貼設する様子を説明する模式的な水平断面図である。
【図４】実施例１の外壁パネル構造及び該外壁パネル構造の施工方法で、図２中Ａ部に相当する位置での拡大水平断面図である。
【図５】実施例１の外壁パネル構造及び該外壁パネル構造の施工方法で、図２中Ｂ−Ｂ線に沿った位置での縦断面図である。
【図６】実施例１の外壁パネル構造及び該外壁パネル構造の施工方法で、図２中Ｃ部に相当する位置での拡大水平断面図である。
【図７】実施例２の外壁パネル構造及び該外壁パネル構造の施工方法で、図２中Ａ部に相当する位置での拡大水平断面図である。
【図８】実施例２の外壁パネル構造及び該外壁パネル構造の施工方法で、図２中Ｃ部に相当する位置での拡大水平断面図である。
【図９】実施例２の外壁パネル構造及び該外壁パネル構造の施工方法で、紙面左端にも、被係合溝部を有するパネル本体を採用する部分での拡大水平断面図である。
【図１０】実施例２の外壁パネル構造及び該外壁パネル構造の施工方法で、要部の構成を説明する地中埋設部分の縦断面図である。
【図１１】従来例の外壁パネル構造で、建物ユニットの分解斜視図である。
【図１２】従来例の外壁パネル構造で、建物ユニット間の目地部の防水施工を説明する一部断面斜視図である。
【符号の説明】
【０１０４】
５            リベット（固定部材）
１０          ユニット住宅
１１          建物ユニット（建物構造体）
１２          柱材
１２ａ        外側面部
１５          スタッド
１５ａ        外側面部
１７，１８，１９，１１７  外壁パネル
２０，１２０  外壁部
２２，１２２，２２２  パネル本体
２３，１２３  被係合溝部
２３ａ        底面部
２４，１２４  係合片部
２５          通気部
３０          外側断熱部材
【図１】
2005220657.tif 000003
【図２】
2005220657.tif 000004
【図３】
2005220657.tif 000005
【図４】
2005220657.tif 000006
【図５】
2005220657.tif 000007
【図６】
2005220657.tif 000008
【図７】
2005220657.tif 000009
【図８】
2005220657.tif 000010
【図９】
2005220657.tif 000011
【図１０】
2005220657.tif 000012
【図１１】
2005220657.tif 000013
【図１２】
2005220657.tif 000014